(57)【要約】【課題】手元操作で且つ小さな操作力で軽やかに吐止水操作を行うことのできる水栓装置を提供する。【解決手段】カウンターから起立した状態で設けられた吐水管の先端部をシャワーヘッド１６として構成して成る水栓装置において、シャワーヘッド１６の先端側に押ボタン式の吐止水操作部２２を斜め上向きに手元操作部として設け、且つ手元操作部に対応した吐止水弁として主弁４２と主弁４２の動作を制御するパイロット弁７８とを設ける。そしてパイロット弁７８をシャワーヘッド１６の内部に組み込むとともに、水栓装置内部にはパイロット水路４６、及び主弁の背面側に背圧室４４を形成し、パイロット弁７８を吐止水操作部２２により開閉動作させるようになす。【選択図】        図３
2007032271.tif 000002
【特許請求の範囲】
【請求項１】
カウンターから起立した状態で設けられた吐水管の先端部をシャワーヘッドとして構成し、該シャワーヘッドをシャワーホースとともに引き出して吐水口から吐水可能となした水栓装置において、
前記吐水口からの吐水と止水とを行うための押ボタン式の吐止水操作部を前記シャワーヘッドの先端側に斜め上向きに手元操作部として設け、且つ該手元操作部に対応した吐止水弁を設けるともに
該吐止水弁は、主水路を開閉する主弁と該主弁の動作を制御するパイロット弁とを有するものとなして、該パイロット弁を前記シャワーヘッドの内部に組み込んであり、前記水栓装置内部には該パイロット弁により開閉されるパイロット水路、及び前記主弁の背面側に配置されて該パイロット水路と連通し、該主弁の上流に連通する小孔を有する背圧室を形成し、該パイロット弁を前記吐止水操作部により開閉動作させるようになしてあることを特徴とする水栓装置。
【請求項２】
請求項１に記載の水栓装置において、前記吐止水操作部が前記シャワーヘッドの軸方向の先端面に且つ該軸方向に押込可能に設けてあることを特徴とする水栓装置。
【請求項３】
請求項１，２の何れかに記載の水栓装置において、前記シャワーヘッドに、吐水流量の調節を行うための流調操作部が手元操作部として設けてあり、且つ該流調操作部に対応した流調弁が前記シャワーヘッド内に設けてあることを特徴とする水栓装置。
【発明の詳細な説明】
【技術分野】
【０００１】
この発明は水栓装置に関する。
【背景技術】
【０００２】
従来、浴室の吐水装置として図１４に示したものが知られている。このものは、シャワーヘッド３００に設けた吐止水操作部３２８の操作摘み３３０を回転操作することで弁体３３２を軸方向に移動させ、そしてこれを弁座３３４に当接させ或いは離間させることによって主水路３０８を開閉し、吐水口３３６からの吐水及び止水を行うようになしたものである。
尚この例の吐水装置の場合、弁体３３２を閉弁させるとシャワーホース３０４の上流部に配設してある主弁３１２も閉弁する。
【０００３】
この例の吐水装置にあっては、シャワーヘッド３００を手に持ちながら手元操作により吐止水を行うことができる。
しかしながらこの吐水装置の場合、手元操作部としての吐止水操作部３２８が、大流量で水を流通させる主水路３０８を直接開閉するものであることから操作が重くなる問題がある。
【０００４】
尚、同じく浴室の吐水装置に関する公知技術として、下記特許文献１に開示されたものがある。
【０００５】
【特許文献１】特開平１１−１９７５５２号公報
【発明の開示】
【発明が解決しようとする課題】
【０００６】
本発明はこのような事情を背景とし、手元操作で且つ小さな操作力で軽やかに吐止水操作を行うことのできる水栓装置を提供することを目的とする。
【課題を解決するための手段】
【０００７】
而して請求項１のものは、カウンターから起立した状態で設けられた吐水管の先端部をシャワーヘッドとして構成し、該シャワーヘッドをシャワーホースとともに引き出して吐水口から吐水可能となした水栓装置において、前記吐水口からの吐水と止水とを行うための押ボタン式の吐止水操作部を前記シャワーヘッドの先端側に斜め上向きに手元操作部として設け、且つ該手元操作部に対応した吐止水弁を設けるともに、該吐止水弁は、主水路を開閉する主弁と該主弁の動作を制御するパイロット弁とを有するものとなして、該パイロット弁を前記シャワーヘッドの内部に組み込んであり、前記水栓装置内部には該パイロット弁により開閉されるパイロット水路、及び前記主弁の背面側に配置されて該パイロット水路と連通し、該主弁の上流に連通する小孔を有する背圧室を形成し、該パイロット弁を前記吐止水操作部により開閉動作させるようになしてあることを特徴とする。
【０００８】
請求項２のものは、請求項１に記載の水栓装置において、前記吐止水操作部が前記シャワーヘッドの軸方向の先端面に且つ該軸方向に押込可能に設けてあることを特徴とする。
【０００９】
請求項３のものは、請求項１，２の何れかに記載の水栓装置において、前記シャワーヘッドに、吐水流量の調節を行うための流調操作部が手元操作部として設けてあり、且つ該流調操作部に対応した流調弁が前記シャワーヘッド内に設けてあることを特徴とする。
【発明の作用・効果】
【００１０】
上記のように請求項１の水栓装置は、吐水管の先端部をシャワーヘッドとして構成して、そのシャワーヘッドに押ボタン式の吐止水操作部をシャワーヘッドの先端側に斜め上向きに手元操作部として設けるとともに、対応した吐止水弁として、主水路を開閉する主弁とその動作を制御するパイロット弁とを設けるとともに、水栓装置内部にはパイロット弁により開閉されるパイロット水路、及び主弁の背面側に配置されてパイロット水路と連通する背圧室を形成して、そのパイロット弁をシャワーヘッドの内部に組み込み、そしてそのパイロット弁を吐止水操作部の操作により開閉動作させて主弁を開閉し、吐止水を行うようになしたもので、この水栓装置にあっては、小さな操作力で軽やかに吐水口からの吐止水操作を行うことができる。
またそのパイロット弁がシャワーヘッドの内部に組み込んであるため、吐止水操作部の近くに対応する弁が位置することとなり、操作部及び弁の構造を簡単な構造となすことができ、併せて組付け性も良好となすことができる。
【００１１】
本発明では、上記のように吐止水操作部を押ボタン式の操作部となしてある。
吐止水操作部は単に吐水操作と止水操作とを行うだけのものであるため、即ちオン・オフ操作するだけのものであるため、これを押ボタン式とすることが容易であって、しかもそのようにしたとき吐止水操作をワンタッチで簡単に行うことができる。
【００１２】
この場合において吐止水操作部は、操作力の入力部である操作部材と、これを押し込むごとにパイロット弁を閉弁位置と開弁位置とに交互に保持するロック機構を有するように構成しておくことができる。
このようにすれば、押込力を加え続けなくても吐水状態と止水状態とを維持することができ、操作が簡単となる。
【００１３】
本発明では、上記吐止水操作部をシャワーヘッドの軸方向の先端面に且つ軸方向に押込可能に設けておくことができる（請求項２）。
【００１４】
請求項３のものは、シャワーヘッドに吐水流量の調節を行うための流調操作部を手元操作部として設けるとともに、その流調操作部に対応した流調弁をシャワーヘッド内に設けたもので、この請求項３の水栓装置の場合、吐水口からの吐止水のみならず吐水流量の調節も手元操作することができ、水栓装置の利便性を飛躍的に高めることができる。
またこの請求項３では、互いに対応した流調操作部と流調弁とがシャワーヘッドに設けてあるため、流調操作部及び流調弁の構造を簡単な構造となすことができ、併せて組付性も良好となすことができる。
【００１５】
ここで流調操作部は、これを回転運動を行うダイヤル式のものとなしておくことができる。
更にこの流調弁は、流調操作部の回転に伴って回転運動を行う円筒形状の弁、詳しくは周方向に開口を有する弁と成しておくことができる。
【発明を実施するための最良の形態】
【００１６】
次に本発明の実施形態を図面に基づいて詳しく説明する。
図１，図２は本発明の実施形態としてのキッチン水栓装置を示したものである。
図中１０はキッチンカウンターで、１２はシンクである。
１４はキッチンカウンター１０から起立する状態で設けられた吐水管で、その先端部がシャワーヘッド１６として構成されている。
【００１７】
このシャワーヘッド１６には、吐水口１８からの吐水をシャワー吐水から整流吐水に若しくはその逆に切替操作する切替操作部２０が備えられている。
更にまたこのシャワーヘッド１６には、吐水口１８からの吐水と止水を行うための吐止水操作部２２及び吐水口１８からの吐水流量を調節する流調操作部２４が備えられている。
【００１８】
２６はキッチンカウンター１０に取り付けられた湯水の混合部（水栓本体）で、水と湯の供給管２８が接続されており、それらを通じて水及び湯が内部に供給されるようになっている。
この混合部２６には水と湯の混合比率を調節する温調操作部３０が設けられており、この温調操作部３０がキッチンカウンター１０の上面に露出している。
【００１９】
上記シャワーヘッド１６にはシャワーホース３２が接続されており、このシャワーホース３２がキッチンカウンター１０の下側において上記混合部２６に接続されている。
尚、図２に示しているようにシャワーホース３２の端部には継手管３４が接続されており、この継手管３４が混合部２６の接続口に差込状態で連結されている。
【００２０】
シャワーヘッド１６及びシャワーホース３２の内部には、図３に示しているように大流量で水を流通させる主水路３６が形成されており、その主水路３６に沿ってその中心部に可撓性のチューブ３８が挿入配置されている。
チューブ３８は、その一端部が継手管３４内部に組み込まれたピストン式の主弁４２にパイプ４０を介して接続されている。
【００２１】
主弁４２はその内部に水路を有しており、この主弁４２，パイプ４０及びチューブ３８内部の水路によって、主弁４２の背面側に形成された背圧室４４に連通するパイロット水路４６が形成されている。
ここで背圧室４４は小孔４７を介して主水路３６の上流部、詳しくは背圧室４４の上流部に連通している。
【００２２】
主弁４２はピストン部４８を有していて、そのピストン部４８が円筒形の摺動面５０に摺動可能に嵌合されており、そして先端側の当接部５２が継手管３４に形成された弁座５４に当接し又はこれから離間することによって、主水路３６を閉鎖し又は開放する。
【００２３】
継手管３４の内部にはまた、主弁４２より上流側、詳しくは主弁４２による主水路３６の開閉部位よりも上流側にピストン式の減圧弁５６が組み込まれている。
減圧弁５６は大径のピストン部５８を有しており、そのピストン部５８が円筒形の摺動面６０に摺動可能に嵌合されている。
【００２４】
この減圧弁５６はその下流部分、詳しくは主水路３６における減圧弁５６の配設部位よりも下流部分の圧力が上昇して一定圧に達したとき、上流部と下流部とに対する受圧面積の差によって図中下向きに押動され、図８に拡大して示しているようにその当接部６６を弁座６２に接近又は当接させることによって、主水路３６を絞り又は主弁４２の上流側で閉鎖する。
【００２５】
即ち減圧弁５６は、主水路３６を絞り又は閉鎖することによって、これより下流側の主水路３６内の圧力をその上流側（一次側）の給水圧よりも低い圧力状態（減圧状態）に保つ働きをする。
尚この減圧弁５６は、スプリング６４により常時開弁方向に付勢されている。
また継手管３４の端部にはねじ式の接続口６８が設けられている。
【００２６】
シャワーヘッド１６には、円筒形状の弁から成る流量調節弁７０が、流調操作部２４と一体回転する状態で組み込まれている。
この流量調節弁７０は主水路３６の水の流量を調節するもので、周方向に略楔状をなす開口７２、即ち周方向に進むにつれて開口幅が漸次変化する開口７２を有している。
一方シャワーヘッド１６（厳密にはシャワーヘッド１６における本体側）には、主水路３６と吐水口１８とを連通させる円形の開口７４が形成されている。
【００２７】
本例において、主水路３６からの水はそれら開口７２，７４を経て吐水口１８へと流れ出す。
従って図１１及び図１２に示しているように流量調節弁７０が流調操作部２４とともに回転して開口７２の位置が変化することで、吐水口１８からの吐水流量が大→小へ若しくはその逆に変化せしめられる。
【００２８】
上記吐止水操作部２２は、この例では押ボタン式のもので図４にも示しているように逆カップ状をなす操作部材７６と、操作部材７６を押し込むごとにパイロット水路４６を開閉するためのパイロット弁７８を閉弁位置と開弁位置とに交互に保持するロック機構８０とを有している。
【００２９】
尚、パイロット弁７８は軸状の当接部８２を有しており、その当接部８２がチューブ３８端部の装着部材８４（図１０参照）の弁座８６に当接することによってパイロット水路４６を閉鎖し（図４(Ａ)参照）、また弁座８６から離間することによってパイロット水路４６を開放する（図４(Ｂ)参照）。
【００３０】
本例において、ロック機構８０はスラストロック式のもので外筒８８と、その内周面に突出する状態で形成された円筒形状のガイド部９０（図９参照）とを有している。
ガイド部９０は、上端面に沿って周方向に鋸刃状の係合歯９２を有しており、更に周方向に沿って所定間隔ごとに複数の溝９４を有している。
【００３１】
一方、パイロット弁７８には大径の固定リング９６と回転リング９８とが設けられている。
回転リング９８は軸部１００の周りに回転可能とされており、更に軸部１００に設けられたストッパ部１０２と固定リング９６との間で微小ストローク上下に相対移動可能とされている。
【００３２】
固定リング９６の外周面には周方向に一定間隔で突起１０４が設けられており、その上端に係合歯１０６が形成されている。
他方、回転リング９８にも周方向に沿って一定間隔ごとに突起１０８が設けられており、そしてそれら突起１０８を含む回転リング９８下端部に、周方向に沿って鋸刃状の係合歯１１０が形成されている。
【００３３】
尚、図３，図４に示しているようにパイロット弁７８は回転リング９８の上面においてスプリング１１２により常時下向きに付勢されており、またロック機構８０の外筒８８はスプリング１１４により常時上向きに付勢されている。
【００３４】
この例のスラストロック式のロック機構８０は次のように作用する。
図９(Ｂ)(Ｉ)はパイロット弁７８がチューブ３８端部の装着部材８４の弁座８６に当接した状態、即ちパイロット水路４６を閉鎖した状態を示している。
【００３５】
この状態において操作部材７６及びロック機構８０の外筒８８をスプリング１１２及び１１４の付勢力に抗して下向きに押し込むと、図９(Ｂ)(II)に示しているようにパイロット弁７８の回転リング９８がガイド部９０の溝９４から外れた状態となり、ここにおいて回転リング９８が、固定リング９６側の突起１０４の係合歯１０６と回転リング９８側の係合歯１１０のカム面の作用で微小角度反時計方向に回転させられる。
【００３６】
その後押込力を除くと、スプリング１１４の付勢力でガイド部９０が外筒８８とともに上昇運動し、このときガイド部９０の上端の係合歯９２と回転リング９８の係合歯１１０とが一部噛み合った状態となる。
【００３７】
更にガイド部９０が上向きに押し上げられると、回転リング９８が固定リング９６から浮き上がるとともにそれら係合歯９２，１１０のカム面の作用で回転リング９８が更に微小角度反時計方向に回転させられてガイド部９０の係合歯９２と回転リング９８の係合歯１１０とが完全に噛み合った状態となり（図９(Ｂ)(III)参照）、これとともに回転リング９８とストッパ部１０２との当接作用で回転リング９８，固定リング９６を含むパイロット弁７８全体が上昇端まで上昇させられてその上昇端に保持される。即ちパイロット弁７８が開弁位置に保持される。
ここにおいてパイロット水路４６が開放状態とされてピストン式の主弁４２が開かれ、主水路３６内を水が流通する。
【００３８】
さて再び操作部材７６を押込操作すると、これとともにロック機構８０の外筒８８及びガイド部９０が下向きに移動し、ここにおいて回転リング９８の係合歯１１０とガイド部９０の係合歯９２との噛合いが外れるとともに、スプリング１１２の付勢力でパイロット弁７８における固定リング９６の係合歯１０６と回転リング９８の係合歯１１０とが接触し（図９(Ｂ)(IV)，(Ｖ)参照）、更にガイド部９０が下降して回転リング９８が自由回転状態になると、固定リング９６及び回転リング９８の各係合歯１０６，１１０のカム面の作用により回転リング９８が微小角度反時計方向に回転させられ、そしてそれら係合歯１０６及び１１０が完全に噛み合ったところで回転リング９８の回転が停止する（図９(Ｂ)(VI)参照）。
【００３９】
その後操作力を除くことによって、（VII）に示しているようにガイド部９０がスプリング１１４の付勢力で上向きに移動すると、回転リング９８が浮き上った後、ガイド部９０の係合歯９２と回転リング９８の係合歯１１０とのカム面の作用で回転リング９８が微小角度回転した上で、回転リング９８の突起１０８が固定リング９６の突起１０４とともにガイド部９０の溝９４に嵌り合い、続いてスプリング１１２及び１１４の付勢力でそれら突起１０４，１０８が外筒８８の上昇運動を伴って溝９４の底部まで落ち込む（図９(Ｂ)(VIII)参照）。ここにおいてパイロット弁７８が再びパイロット水路４６を閉鎖した状態となる。
尚このロック機構自体は従来公知であるのでここでは更に詳しい説明は省略する。
【００４０】
尚、図４に示しているようにパイロット弁７８と主水路３６との間のシールは、主水路３６の端部に設けられたプラグ１１６（図１０参照）内周面のパッキンによって行われている。
【００４１】
本例のキッチン水栓装置の場合、吐止水操作部２２を押込操作すると、パイロット弁７８が図３に示す閉弁状態から図５に示すように開弁動作し、ここにおいてパイロット水路４６が開かれ、続いて背圧室４４の圧力が低下することにより主弁４２が開弁動作する。
これによりシャワーヘッド１６の先端部まで水が主水路３６を通じて供給され、続いて流量調節弁７０，シャワーヘッド１６の開口７２，７４を通じた後、吐水口１８から吐水される。
図６はこのときの状態を示している。
【００４２】
尚、図６の状態では流量調節弁７０がいっぱいまで開かれており、吐水口１８からは最大流量で水が吐水される。
さてこの状態で流調操作部２４を回転操作し開口７２を漸次狭めて行くと、これに伴って吐水口１８からの吐水流量が減少変化する（図７(Ｉ)参照）。
【００４３】
図７（II）は吐水口１８からの吐水流量を最も絞った状態を表している。
このような状態の下では、上記減圧弁５６を設けておかないとシャワーヘッド１６先端部まで、詳しくは主水路３６の先端部まで一次給水圧が導かれてシャワーホース３２内に大きな圧力が篭った状態となってしまい、またこれに伴ってシャワーホース３２が硬くなってしまい、自由に曲り難くなる。
【００４４】
しかるに本例のキッチン水栓装置においては主弁４２の上流側に減圧弁５６が設けられており、その減圧弁５６の配設部位よりも下流部分の主水路３６内部の圧力が高まって来ると、即ちシャワーホース３２内部の圧力が上昇してくるとその減圧弁５６が閉弁方向に動作し、主水路３６を絞り又は減圧弁５６の上流部と下流部とで遮断する。
【００４５】
これにより減圧弁５６よりも下流側の主水路３６内部の圧力が給水圧に対し一定圧低い減圧状態に保たれ、従って主弁４２を開いた状態の下で流量を絞った場合においても、シャワーホース３２内部に過大な圧力が篭ってシャワーホース３２が硬くなってしまうのが有効に防止される。
【００４６】
また本例のキッチン水栓装置では主弁４２がシャワーホース３２よりも上流部に配設してあるため、更には吐止水操作部２２の止水操作によりパイロット水路４６を閉鎖し、背圧室４４の圧力を高めることでその主弁４２を閉弁させ、これにより吐水口１８からの吐水を止めるようにしているため、止水状態においてその主弁４２よりも下流側の主水路３６内部全体を大気開放状態とすることができ、シャワーホース３２及びシャワーヘッド１６内の主水路３６内に圧力が篭ったり水が滞留したりするのを防ぐことができる。
【００４７】
更に本例のものは主弁４２と減圧弁５６とをシャワーホース３２に接続された継手管３４の内部に組み込んでいるため、従来の水栓本体（混合部２６）を何ら改変する必要がなく、また吐水装置の組付性も良好となる。
【００４８】
本例のキッチン水栓装置によれば、吐水口１８からの吐止水のみならず流量調節をも手元操作することができ、吐水装置の利便性を飛躍的に高めることができる。
【００４９】
しかもこのキッチン水栓装置の場合、吐止水操作部２２と流調操作部２４及びそれらに対応するパイロット弁７８と流量調節弁７０とが別々に設けてあるため、吐止水操作を行う度に流量調節をその都度行わなければならないといった面倒がない利点を有する。
【００５０】
このキッチン水栓装置にあっては、吐水口１８からの吐水量が所望水量となるように流調操作部２４を操作したとき、その状態を維持したままで吐止水操作部２２によって止水操作を行うことができ、従ってその後再び吐水を行ったとき自動的に吐水口１８から所望流量で吐水を行わせることができる。
【００５１】
また本例のキッチン水栓装置は、主弁４２の動作を制御するパイロット弁７８を閉弁動作させて止水を行うようにしているため、小さな操作力で軽やかに吐水口１８からの吐止水操作を行うことができるとともに、パイロット弁７８及び流量調節弁７０がシャワーヘッド１６の内部且つ吐止水操作部２２及び流調操作部２４近くに配設してあるため、各操作部と対応する弁とを直接作動的に連結することができそれら操作部及び弁の構造を簡単な構造と成すことができ併せて組付け性も良好となすことができる。
【００５２】
更に本例では吐止水操作部２２を押ボタン式となしているため、吐止水操作をワンタッチで極めて簡単に行うことができる。
【００５３】
以上は大流量で水を流通させる主水路３６と、主水路３６を開閉する主弁４２の動作制御用のパイロット水路４６及びパイロット弁７２を設けた場合の例であるが、主水路３６のみを設けておき、その主水路３６を吐止水弁によって吐止水し、また主水路内の流量を流量調節弁で調節するようになすことも可能である。
【００５４】
図１３はその一例（本発明の参考例）を示している。
同図において、１３６は弁座１３８に当接し又はこれから離間することによって主水路３６を開閉する吐止水弁で、手元操作部としての吐止水操作部（図示省略）によって開閉操作されるようになっている。
１４０は流量調節弁で、手元操作部としての流調操作部（図示省略）により軸方向（図中上下方向）に移動操作されることで、主水路３６を流通する水流量を調節する。
【００５５】
この例において（Ｉ）は止水状態を示しており、吐止水弁１３６は弁座１３８に当接した状態にあり、主水路３６は閉じられている。
この状態において（II）に示しているように吐止水弁１３６を吐水操作部にて開弁させると、主水路３６が開かれて主水路３６内を水が流通し、吐水口からの吐水が行われる。
このとき図１３（II），（III）に示しているように、吐止水弁１３６を開いた状態の下で流量調節弁１４０を軸方向に移動操作することで、主水路３６内を流通する水の流量を調節することができる。即ち吐水口１８からの吐水流量を調節することができる。
【００５６】
この例においても、吐水操作部と流調操作部及びそれらに対応する吐止水弁１３６と流量調節弁１４０とが別々に設けてあるため、吐止水操作を行う度に流量調節をその都度行わなければならないといった面倒がない利点を有する。
【００５７】
以上本発明の実施形態を詳述したが、本発明はその主旨を逸脱しない範囲において種々変更を加えた形態で構成可能である。
【図面の簡単な説明】
【００５８】
【図１】本発明の一実施形態のキッチン水栓装置の概略全体構成を示す図である。
【図２】図１のキッチン水栓装置の要部を示す図である。
【図３】同じ実施形態のキッチン水栓装置におけるシャワーヘッドと継手管内部の構成を示す断面図である。
【図４】図３に示すシャワーヘッドの要部を拡大して示す図である。
【図５】図３に示す各部の一作用状態を示す図である。
【図６】図３に示す各部の図５とは異なる一作用状態を示す図である。
【図７】図３に示すシャワーヘッド内部の図５及び図６とは異なる一作用状態を示す図である。
【図８】図３における継手管内部の主弁及び減圧弁の一作用状態を示す図である。
【図９】図３のシャワーヘッドに組み込んだ吐止水操作部におけるロック機構の作用説明図である。
【図１０】図３のシャワーヘッド内部のパイロット弁と周辺部の要部分解図である。
【図１１】図３の流量調節弁の要部を示す図である。
【図１２】図１１の流量調節弁の作用説明図である。
【図１３】本発明の参考例の要部の作用説明図である。
【図１４】従来の浴室の吐水装置の一例の要部を示す図である。
【符号の説明】
【００５９】
１４  吐水管
１６  シャワーヘッド
１８  吐水口
２２  吐止水操作部
２４  流調操作部
３２  シャワーホース
３４  継手管
３６  主水路
３８  チューブ
４０  パイプ
４２  主弁
４６  パイロット水路
５６  減圧弁
７０，１４０  流量調節弁
７６  操作部材
７８  パイロット弁
８０  ロック機構
１３６  吐止水弁
【図１】
2007032271.tif 000003
【図２】
2007032271.tif 000004
【図３】
2007032271.tif 000005
【図４】
2007032271.tif 000006
【図５】
2007032271.tif 000007
【図６】
2007032271.tif 000008
【図７】
2007032271.tif 000009
【図８】
2007032271.tif 000010
【図９】
2007032271.tif 000011
【図１０】
2007032271.tif 000012
【図１１】
2007032271.tif 000013
【図１２】
2007032271.tif 000014
【図１３】
2007032271.tif 000015
【図１４】
2007032271.tif 000016